(57)【要約】【課題】映像の左眼、右眼を管理することが容易で、かつ左眼映像と右眼映像のタイミングを編集段階で合わせることも容易としたステレオ３Ｄ録画装置を提供する。【解決手段】複数の視点における映像から構成される立体視用の映像を記録媒体に記録するステレオ３Ｄ録画装置であって、前記立体視用の映像を取得する取得部と、前記取得した立体視用の映像を構成する複数の映像それぞれに対して、当該映像を撮影した視点が特定でき識別画像を挿入する挿入部と、前記識別画像を挿入した複数の映像から構成される立体視用の映像を、前記記録媒体に記録する記録部と、を備えるステレオ３Ｄ録画装置。【選択図】図４
2012175495.tif 000002
【特許請求の範囲】
【請求項１】
複数の視点における映像から構成される立体視用の映像を記録媒体に記録するステレオ３Ｄ録画装置であって、
前記立体視用の映像を取得する取得部と、
前記取得した立体視用の映像を構成する複数の映像それぞれに対して、当該映像を撮影した視点が特定でき識別画像を挿入する挿入部と、
前記識別画像を挿入した複数の映像から構成される立体視用の映像を、前記記録媒体に記録する記録部と、
を備えるステレオ３Ｄ録画装置。
【請求項２】
前記挿入部は、前記取得した立体視用の映像を構成する複数の映像それぞれに対して、前記識別画像を挿入する開始時刻および終了時刻が同一時刻となるように、当該識別画像を挿入する請求項１に記載のステレオ３Ｄ録画装置。
【請求項３】
前記挿入部は、画像挿入時における時刻情報が記載された識別画像を挿入する請求項１に記載のステレオ３Ｄ録画装置。
【請求項４】
前記挿入部は、録画が開始された時点から前記識別画像を前記取得した立体視用の映像を構成する複数の映像それぞれに対して挿入する請求項１から請求項３に記載のステレオ３Ｄ録画装置。
【発明の詳細な説明】
【技術分野】
【０００１】
本発明は、立体映像信号を録画するステレオ３Ｄ録画装置に関する。
【背景技術】
【０００２】
従来のステレオ３Ｄ録画装置では、左眼用撮影カメラの映像と右眼用撮影カメラの映像とを別々の記録媒体に記録する装置がある。また、特許文献１に記載されているように、同一記録媒体に右眼画像・左眼画像もしくは主画像・立体用データを関連付けて記録する方法が提案されている。特許文献１の開示技術によれば、ステレオ３Ｄ画像を一つの記録媒体に記録することが可能である。
【先行技術文献】
【特許文献】
【０００３】
【特許文献１】特開平９−３２７０４１号公報
【発明の概要】
【発明が解決しようとする課題】
【０００４】
しかしながら、上述の特許文献１の技術では、ステレオ３Ｄ専用の記録フォーマットで記録されるため、再生装置や編集装置もステレオ３Ｄ専用記録フォーマットに対応したものが必要となる。また、記録する時点で左眼映像と右眼映像の同期タイミングが合っている必要がある。このため、左眼用撮影カメラと右眼用撮影カメラを同期させる構成が必要となり、撮像装置の構成が複雑になる。
【０００５】
左眼用撮影カメラの映像と右眼用撮影カメラの映像とを別々の記録媒体に記録する装置においては、左眼映像用の記録媒体および右眼映像用の記録媒体は、それぞれステレオ３Ｄに対応していない通常の記録フォーマットで記録することが可能である。また、記録のためには左眼映像と右眼映像の同期タイミングを合わせる必要が無いため、ステレオ３Ｄ専用ではなく、外部同期信号に同期するいわゆるゲンロック機能のない比較的安価な通常のカメラを２台使うことで撮像し、その撮像結果を録画することが可能である。
【０００６】
しかし、この方法では左眼映像と右眼映像とを混同しないように管理することが難しくなる。記録媒体が異なるため、左眼映像と右眼映像を逆に再生もしくは編集してしまう可能性がある。また、編集についても、２次元映像用の装置で左右を別々に編集することが可能ではあるが、やはり左眼映像と右眼映像を混同しないように管理することが難しく、かつ左眼映像と右眼映像のタイミングを編集段階で合わせることも難しくなる。
【０００７】
上記実情を鑑みて、本発明は、左眼映像と右眼映像を混同しないように管理することが容易で、かつ編集時に左眼映像と右眼映像のタイミングを合わせることを容易としたステレオ３Ｄ録画装置を提供することを目的とする。
【０００８】
また、本発明は、撮影の際にはステレオ３Ｄ専用でなく、外部同期信号に同期するいわゆるゲンロック機能のない比較的安価な通常のカメラを２台使うことで撮像することが可能なステレオ３Ｄ録画装置を提供することを目的とする。さらに、本発明は、左眼映像用の記録媒体および右眼映像用の記録媒体が、それぞれステレオ３Ｄに対応していない通常の記録フォーマットで記録することが可能なステレオ３Ｄ録画装置を提供することを目的とする。
【課題を解決するための手段】
【０００９】
本発明の一の局面に係るステレオ３Ｄ録画装置は、複数の視点における映像から構成される立体視用の映像を記録媒体に記録するステレオ３Ｄ録画装置であって、前記立体視用の映像を取得する取得部と、前記取得した立体視用の映像を構成する複数の映像それぞれに対して、当該映像を撮影した視点が特定でき識別画像を挿入する挿入部と、前記識別画像を挿入した複数の映像から構成される立体視用の映像を、前記記録媒体に記録する記録部と、を備える。
【００１０】
上記構成によれば、立体視用の映像に含まれる識別画像を再生画面上で目視することで、その映像が撮影された視点を容易かつ正確に認識することが可能となる。
【００１１】
また好ましくは、前記挿入部は、前記取得した立体視用の映像を構成する複数の映像それぞれに対して、前記識別画像を挿入する開始時刻および終了時刻が同一時刻となるように、当該識別画像を挿入する。
【００１２】
上記構成によれば、左右の撮影タイミングが合っているかどうかをより正確に、かつ直感的に判定することが可能となる。
【００１３】
また好ましくは、前記挿入部は、画像挿入時における時刻情報が記載された識別画像を挿入する。
【００１４】
上記構成によれば、左右の撮影タイミングを編集装置の作業画面表示によってより正確に合わせることが可能となる。
【００１５】
また好ましくは、前記挿入部は、録画が開始された時点から前記識別画像を前記取得した立体視用の映像を構成する複数の映像それぞれに対して挿入する。
【００１６】
上記構成によれば、それぞれの録画映像の先頭に判別画像が挿入されているため、立体視用の映像の視点確認及びタイミング調整をすばやく実行可能であるとともに、視点確認及びタイミング調整が完了したのちには、判別画像を容易に削除することが可能となる。
【発明の効果】
【００１７】
上述の如く、本発明に係るステレオ３Ｄ録画装置は、左眼映像と右眼映像を混同しないように管理することが容易で、かつ編集時に左眼映像と右眼映像のタイミングを合わせることを容易とする。また、本発明に係るステレオ３Ｄ録画装置は、撮影の際にはステレオ３Ｄ専用でなく、外部同期信号に同期するいわゆるゲンロック機能のない比較的安価な通常のカメラを２台使うことで撮像することを可能とする。さらに、本発明に係るステレオ３Ｄ録画装置は、左眼映像用の記録媒体および右眼映像用の記録媒体が、それぞれステレオ３Ｄに対応していない通常の記録フォーマットで記録することを可能とする。
【図面の簡単な説明】
【００１８】
【図１】本発明の一実施形態に係るステレオ３Ｄ録画装置を用いたステレオ３Ｄ撮影システムの概略構成図である。
【図２】図１に示されるステレオ３Ｄ撮影システムを用いたステレオ３Ｄ撮影を説明する概略図である。
【図３】図１に示されるステレオ３Ｄ撮影システムにおける、内部構成を概略的に示すブロック図である。
【図４】図１に示されるステレオ３Ｄ撮影システムにおける、記録媒体に記録される映像信号の例を概略的に示す図である。
【図５】図１に示されるステレオ３Ｄ撮影システムによって撮影された映像を編集する、ステレオ３Ｄ編集装置の構成例を概略的に示す図である。
【図６】図５に示されるステレオ３Ｄ編集装置における、左右タイミング合わせ作業の一例を概略的に示す図である。
【発明を実施するための形態】
【００１９】
以下、本発明の一実施形態に係るステレオ３Ｄ録画装置について図面を参照して説明する。尚、図面に示される構成、配置或いは形状等並びに図面に関連する記載は、単に本発明の原理を容易に理解させることを目的とするものであり、本発明を何ら限定するものではない。
【００２０】
（第１の実施の形態）
図１は、本発明の一実施形態に係るステレオ３Ｄ録画装置を用いたステレオ３Ｄ撮影システムの構成を概略的に示す。図１において、１は第１の撮影装置、２は第２の撮影装置、３は第１の録画装置、４は第２の録画装置、５は第１の記録媒体、６は第２の記録媒体、７は制御用ケーブルである。第１の録画装置３、第２の録画装置４及び制御用ケーブル７をまとめたものが、本発明の一実施形態に係るステレオ３Ｄ録画装置に相当する。
【００２１】
図１においては、左眼用撮像装置が第１の撮像装置１、右眼用撮像装置が第２の撮像装置２となるようにステレオ３Ｄ撮影システムを構成している。被写体からの左眼視点に相当する撮像光は第１の撮像装置１に入射される。第１の撮像装置１に入射された撮像光は、装置内部の固体撮像素子等の撮像面に結像され、光電変換されて第１の映像信号、すなわち左眼映像信号となる。同様に、被写体からの右眼視点に相当する撮像光は第２の撮像装置２に入射される。第２の撮像装置２に入射された撮像光は、装置内部の固体撮像素子等の撮像面に結像され、光電変換されて第２の映像信号、すなわち右眼映像信号となる。
【００２２】
第１の撮像装置１から出力された左眼映像信号は、第１の録画装置３に入力され、記録するための信号処理を施されて、第１の記録媒体５に記録される。また、第２の撮像装置２から出力された右眼映像信号は、第２の録画装置４に入力され、記録するための信号処理を施されて、第２の記録媒体６に記録される。
【００２３】
本実施形態においては、第１の撮影装置１及び第１の録画装置３、第２の撮影装置２及び第２の録画装置４は、それぞれ単独でステレオ３Ｄではない２Ｄ映像の撮影及び録画が可能な構成であり、第１の記録媒体５及び第２の記録媒体６には、左眼映像信号および右眼映像信号がステレオ３Ｄ専用ではない通常の、すなわち２Ｄ映像用の記録フォーマットで記録されるものとする。
【００２４】
第１の録画装置３と、第２の録画装置４とは、ステレオ３Ｄ撮影の場合、制御用ケーブル７を介して通信し、後述するように左眼映像と右眼映像を混同しないように管理するための動作を行う。
【００２５】
図２は、図１に示されるステレオ３Ｄ撮影システムを用いたステレオ３Ｄ撮影を説明する概略図である。図２（ａ）は図１のステレオ３Ｄ撮影システムにおける、第１及び第２の撮像装置の光軸と被写体の位置関係を示す図、図２（ｂ）は第１の撮像装置１及び第２の撮像装置２が生成する画像を示す図であり、Ｌが左眼画像、Ｒが右眼画像である。
【００２６】
図２（ａ）において、第１の撮像装置１の光軸２８と、第２の撮像装置２の光軸２９とが交わる点に存在する被写体２４は、図２（ｂ）に示した通り、左眼画像と右眼画像とで同じ横方向位置に撮影される。これに対し、手前にある被写体２２は、被写体２４と同等のカメラ距離に仮想スクリーン２６を想定し、この仮想スクリーンに投影された像として撮影される。すなわち左眼視点に相当する第１の撮像装置１からは、仮想スクリーン２６に投影された像２５として撮影される。また、右眼視点に相当する第２の撮像装置２からは、仮想スクリーン２６に投影された像２３として撮影される。したがって、被写体２２の像は、ステレオ３Ｄ画像においては、図２（ｂ）に示した視差量２７だけ離れた位置に撮影される。
【００２７】
視差が大きくなるほど（像２３と像２５の間隔が開くほど）像は画面２６より手前に飛び出して見える。また、図２に対して像２３と像２５の位置関係が逆転し、像２３が像２５よりも右眼側になると像は画面２６よりも奥に引っ込んで存在するように見える。
【００２８】
従って、右眼画像と左眼画像が逆に表示された場合、飛び出しと引っ込みの関係が逆になるため、正しいステレオ３Ｄ画像として視聴できない。しかしながら、自然画像においては右眼画像、もしくは左眼画像を見ただけで、それが右眼画像であるか、左眼画像であるかを判別することは容易ではない。
【００２９】
図３は、図１に示されるステレオ３Ｄ撮影システムにおける、内部構成を概略的に示すブロック図である。図１と共通する構成要素には同一の符号を付与し、説明を省略する。
【００３０】
図３に示されるように、第１の撮像装置１は、第１のレンズ群１１０、第１の撮像部１１１、第１のＡ／Ｄ変換部１１２、第１の信号処理部１１３、第１のＩ／Ｆ部１１４、第１のカメラ制御部１１５を備える。第２の撮像装置２は、第２のレンズ群１２０、第２の撮像部１２１、第２のＡ／Ｄ変換部１２２、第２の信号処理部１２３、第２のＩ／Ｆ部１２４、第２のカメラ制御部１２５を備える。
【００３１】
また、第１の録画装置３は、第１のカメラＩ／Ｆ部１３０、第１の制御部１３１、第１の制御Ｉ／Ｆ部１３２、第１の記録処理部１３３、第１の表示処理部１３４、第１のＧＵＩ生成部１３５、第１の入力部１３６、第１の表示部１３７を備え、第１の記録媒体５に第１の画像ファイル１３８を記録する。さらに、第２の録画装置４は、第２のカメラＩ／Ｆ部１４０、第２の制御部１４１、第２の制御Ｉ／Ｆ部１４２、第２の記録処理部１４３、第２の表示処理部１４４、第２のＧＵＩ生成部１４５、第２の入力部１４６、第２の表示部１４７を備え、第２の記録媒体６に第２の画像ファイル１４８を記録する。
【００３２】
第１の撮像装置１において、第１のレンズ群１１０は、複数の光学レンズから構成される。第１のレンズ群１１０は、光を第１の撮像部１１１に集光する。
【００３３】
第１の撮像部１１１は、撮像素子などから構成され、第１のレンズ群１１０を介して入力された光を撮像する。具体的には、第１の撮像部１１１は、入力された光信号をアナログ信号（電気信号）に変換して、当該アナログ信号を第１のＡ／Ｄ変換部１１２に出力する。
【００３４】
第１のＡ／Ｄ変換部１１２は、第１の撮像部１１１から出力されたアナログ信号をデジタル信号に変換する。第１のＡ／Ｄ変換部１１２は、変換したデジタル信号を第１の信号処理部１１３に出力する。第１の信号処理部１１３は、第１のＡ／Ｄ変換部から出力されたデジタル信号に映像信号処理を施し、第１の映像信号として、第１のＩ／Ｆ部１１４経由で第１の録画装置３に出力する。
【００３５】
第１のカメラ制御部１１５は、第１の録画装置３からの制御に基づき、第１の撮像装置１の各部が焦点距離や絞り値など必要な撮影パラメータに対応した動作を行うよう制御する。
【００３６】
第２の撮像装置２において、第２のレンズ群１２０は、複数の光学レンズから構成される。第２のレンズ群１２０は、光を第２の撮像部１２１に集光する。
【００３７】
第２の撮像部１２１は、撮像素子などから構成され、第２のレンズ群１２０を介して入力された光を撮像する。具体的には、第２の撮像部１２１は、入力された光信号をアナログ信号（電気信号）に変換して、当該アナログ信号を第２のＡ／Ｄ変換部１２２に出力する。
【００３８】
第２のＡ／Ｄ変換部１２２は、第１の撮像部１２１から出力されたアナログ信号をデジタル信号に変換する。第２のＡ／Ｄ変換部１２２は、変換したデジタル信号を第２の信号処理部１２３に出力する。第２の信号処理部１２３は、第２のＡ／Ｄ変換部から出力されたデジタル信号に映像信号処理を施し、第２の映像信号として、第２のＩ／Ｆ部１２４経由で第２の録画装置４に出力する。
【００３９】
第２のカメラ制御部１２５は、第２の録画装置４からの制御に基づき、第２の撮像装置２の各部が焦点距離や絞り値など必要な撮影パラメータに対応した動作を行うよう制御する。
【００４０】
なお、上記の構成では第１の撮像装置１と第２の撮像装置２を別の構成として記載した。しかし、第１の撮像装置１および第２の撮像装置２は同一のデバイスで構成されても構わない。要するに、第１の撮像装置１および第２の撮像装置２は第１の視点における第１の画像と、第２の視点における第２の画像が取得可能であれば、どのような構成でも構わない。
【００４１】
第１の録画装置３において、第１のカメラＩ／Ｆ部１３０は、第１の撮像装置１から出力された第１の映像信号を受け取り、第１の記録処理部１３３及び第１の表示処理部１３４に出力する。第１の記録処理部１３３は、第１の映像信号を記録に適した形式に変換処理し、第１の記録媒体５に第１の画像ファイル１３８として記録する。第１の表示処理部１３４は、第１の映像信号を表示に適した形式に変換処理するとともに、第１のＧＵＩ生成部１３５が生成した第１のＧＵＩ画像を多重処理して、第１の表示部１３７に表示する。
【００４２】
第１の制御部１３１は、第１の入力部１３６から入力されるユーザー操作に基づき、第１の録画装置３の各部、及びカメラＩ／Ｆ部１３０を介して第１の撮像装置１が、録画開始や録画終了など必要な動作を行うよう制御する。またステレオ３Ｄ撮影時には、第１の制御Ｉ／Ｆ部１３２を介して第２の録画装置４と連動し、左眼映像と右眼映像を混同しないように管理するための動作を行う。
【００４３】
第２の録画装置４において、第２のカメラＩ／Ｆ部１４０は、第２の撮像装置２から出力された第２の映像信号を受け取り、第２の記録処理部１４３及び第２の表示処理部１４４に出力する。第２の記録処理部１４３は、第２の映像信号を記録に適した形式に変換処理し、第２の記録媒体６に第２の画像ファイル１４８として記録する。第２の表示処理部１４４は、第２の映像信号を表示に適した形式に変換処理するとともに、第２のＧＵＩ生成部１４５が生成した第２のＧＵＩ画像を多重処理して、第２の表示部１４７に表示する。
【００４４】
第２の制御部１４１は、第２の入力部１４６から入力されるユーザー操作に基づき、第２の録画装置４の各部、及びカメラＩ／Ｆ部１４０を介して第２の撮像装置２が、録画開始や録画終了など必要な動作を行うよう制御する。またステレオ３Ｄ撮影時には、第２の制御Ｉ／Ｆ部１４２を介して第１の録画装置３と連動し、左眼映像と右眼映像を混同しないように管理するための動作を行う。
【００４５】
次に、図４を用いて、左眼映像と右眼映像を混同しないように管理するための動作について説明する。
【００４６】
図４は、図１に示されるステレオ３Ｄ撮影システムにおける、記録媒体に記録される映像信号の例を概略的に示す図である。図４において、第１の撮影開始時刻５０、及び第２の撮影開始時刻６０に、第１の入力部１３６及び第２の入力部１４６がユーザーからの撮影開始指令を受けつけたものとする。
【００４７】
第１の制御部１３１は、第１の入力部１３６からの撮影開始指令を受け取ると、第１のＧＵＩ生成部１３５を制御して、第１の撮影開始判別画像５１を生成し、第１の記録媒体５の第１の画像ファイル１３８に記録する。第１の撮影開始判別画像５１には、第１の画像ファイルが左眼映像を記録したものであること、及び記録開始日時、時刻、フレーム番号などの時刻情報が目視可能な形式で表示されている。第１の制御部１３１は、第１の撮影開始判別画像５１を所定の時間だけ記録したのち、第１の撮像装置１が撮像した第１の映像信号５２を、第１の画像ファイル１３８に記録する。
【００４８】
第２の制御部１４１も同様に、第２の入力部１４６からの撮影開始指令を受け取ると、第２のＧＵＩ生成部１４５を制御して、第２の撮影開始判別画像５５を生成し、第２の記録媒体６の第２の画像ファイル１４８に記録する。第２の撮影開始判別画像５５には、第２の画像ファイルが右眼映像を記録したものであること、及び記録開始日時、時刻、フレーム番号などの時刻情報が目視可能な形式で表示されている。第２の制御部１４１は、第２の撮影開始判別画像５５を所定の時間だけ記録したのち、第２の撮像装置２が撮像した第２の映像信号５６を、第２の画像ファイル１４８に記録する。
【００４９】
このとき、第１の制御部１３１及び第２の制御部１４１は、制御用ケーブル７を介して通信することで、第１の撮影開始判別画像５１と第２の撮影開始判別画像５５の内容を整合させる。すなわち、左眼映像であること、及び右眼映像であることの表示が食い違わないようにするとともに、同一時刻における第１の撮影開始判別画像５１の時刻情報表示と第２の撮影開始判別画像５５の時刻情報表示とが同一表示値になるように、時刻情報を同期させる。
【００５０】
これにより、第１の画像ファイル１３８及び第２の画像ファイル１４８を、ステレオ３Ｄ映像として再生するさいに、第１の撮影開始判別画像５１及び第２の撮影開始判別画像５５を目視確認することで、再生映像信号の左右が逆になる誤りを防止することができる。また、第１の撮影開始判別画像５１及び第２の撮影開始判別画像５５の時刻情報が同一になるようにして再生することで、第１の映像信号及び第２の映像信号の再生タイミングを合わせることができる。
【００５１】
なお、上記の説明では、第１の入力部１３６と第２の入力部１４６とからそれぞれ独自にユーザー操作を受け付けて撮影を開始するものとした。しかし、例えば、第１の制御部１３１は、第１の入力部１３６からのユーザー操作を受け付けると、そのことを第２の制御部１４１に通知することで、第１の録画装置３と第２の録画装置４とが同時に録画動作を開始するようにしても良い。
【００５２】
この場合には、さらに、第１の録画装置３と第２の録画装置４とが同時に録画動作を開始するのに合わせ、第１の撮影開始判別画像５１及び第２の撮影開始判別画像５５の挿入開始時刻、及び挿入終了時刻を同一にして録画するようにすると良い。これにより、第１の撮影開始判別画像５１及び第２の撮影開始判別画像５５が同時に始まり同時に終わることで、映画撮影におけるいわゆる「カチンコ」を撮影した映像の代わりを果たすことが可能となり、録画されたステレオ３Ｄ映像を編集する際に有用である。
【００５３】
次に、上記のように録画されたステレオ３Ｄ映像を、編集する際の処理について説明する。
【００５４】
図５は、図１に示されるステレオ３Ｄ撮影システムによって撮影された映像を編集する、ステレオ３Ｄ編集装置の構成例を概略的に示す図である。図５において、２００はステレオ３Ｄ編集装置、２０１はプロジェクト管理画面、２０２はプレビュー画面、２０３はタイムライン編集画面、２１０はタイムバー、２１１は第１のトラック、２１２は第２のトラック、２１３は第１のクリップ、２１４は第２のクリップである。
【００５５】
ステレオ３Ｄ編集装置２００は、具体的には、ステレオ３Ｄ編集用ソフトウェアを搭載したパーソナルコンピュータである。本実施形態においては、第１の記録媒体５及び第２の記録媒体６への読み書きが可能である、一般的なパーソナルコンピュータを想定している。
【００５６】
図１に示されるステレオ３Ｄ撮影システム中の、ステレオ３Ｄ録画装置によって第１の記録媒体５に録画された第１の画像ファイル１３８、及び第２の記録媒体６に録画された第２の画像ファイル１４８は、ステレオ３Ｄ編集装置２００の図示しない内蔵ハードディスクにコピーされ、ステレオ３Ｄコンテンツの編集に用いられる。これらのファイルを含む画像ファイルは、プロジェクト管理画面２０１によって管理され、編集に用いられる。
【００５７】
ステレオ３Ｄコンテンツの編集においては、個々の画像ファイルもしくはその一部を切り出して生成されるクリップを、タイムライン編集画面２０３に配置することで、コンテンツを作成する。タイムライン編集画面２０３の横軸は時間を表し、ここに表示された左眼映像の再生順序を表す第１のトラック２１１に、ステレオ３Ｄ録画装置によって撮影された左眼映像である第１の画像ファイル１３８から切り出した、第１のクリップ２１３を配置する。同様に、右眼映像の再生順序を表す第２のトラック２１２に、ステレオ３Ｄ録画装置によって撮影された右眼映像である第２の画像ファイル１３８から切り出した、第２のクリップ２１４を配置する。これを繰り返して、タイムライン編集画面２０３の左端から順にクリップを並べていくことで、ステレオ３Ｄコンテンツを作成する。
【００５８】
プレビュー画面２０２は、編集されたステレオ３Ｄコンテンツの映像内容を確認するための画面である。タイムライン編集画面２０３において、タイムバー２１０が示している時刻に配置されたクリップの画像を、左眼画像及び右眼画像を横に並べた、いわゆるサイドバイサイド画像として表示する。
【００５９】
図６は、図５に示されるステレオ３Ｄ編集装置における、左右タイミング合わせ作業の一例を概略的に示す図である。図６（ａ）は、左右タイミング合わせを行う前のプレビュー画面２０２及びタイムライン編集画面２０３の表示内容を示す図、図６（ｂ）は、左右タイミング合わせを行った後のプレビュー画面２０２及びタイムライン編集画面２０３の表示内容を示す図である。
【００６０】
図６（ａ）において、第１の画像ファイル１３８からは、図４における第１の撮影開始判別画像６１及びそれに続く第１の映像信号６２を一つのクリップとして第１のトラック２１１に配置している。また、第２の画像ファイル１４８からは、図４における第２の撮影開始判別画像６５及びそれに続く第２の映像信号６６を一つのクリップとして第２のトラック２１２に配置している。
【００６１】
図６（ａ）においては、撮影から録画、クリップの切り出し及び配置の一連の動作の中で左右のタイミングがずれてしまったものとする。タイムバー２１０が示した時刻には、第１のトラック２１１側は第１の映像信号６２が配置されている。一方、第２のトラック２１２側は第２の撮影開始判別画像６５が配置されている。クリップが全て自然画像で構成されていた場合は、このようなタイミングずれが検出しにくい場合がある。そのために、個別のクリップの編集時にタイミングずれが放置されてしまった場合は、後で全体を通して見たときに一部に見難い映像があることが発覚し、編集をやり直す二度手間が発生する場合がある。
【００６２】
しかし、本実施形態においては、撮影時に第１の撮影開始判別画像６１及び第２の撮影開始判別画像６５を挿入しているため、図６（ａ）に示したような左右のタイミングずれは検出しやすく、また調整しやすい。プレビュー画面２０２に表示されているように、撮影開始判別画像が表示される時刻では時刻情報が目視可能であるためである。
【００６３】
図６（ｂ）においては、タイムバー２１０を操作して撮影開始判別画像が表示されるようにしたうえで、第１のトラック２１１に配置したクリップ、すなわち第１の撮影開始判別画像６１及び第１の映像信号６２の配置時刻を変更することで、プレビュー画面２０２に表示される左右の時刻情報を同じ値になるように調整している。これにより、左右タイミングずれを調整するとともに、右眼映像と左眼映像が反対に配置されていないことを確認することが出来る。なお、第１の撮影開始判別画像６１及び第２の撮影開始判別画像６５は、左右タイミングずれ調整が完了したのちに、まとめて削除すれば良い。
【００６４】
上記の実施形態により、第１の録画装置３における第１の制御部１３１と、第２の録画装置４における第２の制御部１４１とが、制御用ケーブル７を介して通信し、表示内容を同期させた第１の撮影開始判別画像５１または６１と、第２の撮影開始判別画像５５または６５とを記録することで、左眼映像と右眼映像を混同しないように管理することが容易で、かつ編集時に左眼映像と右眼映像のタイミングを合わせることが容易となる。
【００６５】
また、第１の撮影装置１及び第１の録画装置３、第２の撮影装置２及び第２の録画装置４は、それぞれ単独でステレオ３Ｄではない２Ｄ映像の撮影及び録画が可能な構成であり、外部同期信号に同期するいわゆるゲンロック機能のない比較的安価な通常のカメラ２台分として独立に構成することが可能となる。
【００６６】
また、第１の記録媒体５及び第２の記録媒体６には、左眼映像信号および右眼映像信号がステレオ３Ｄ専用ではない２Ｄ映像用の記録フォーマットで記録されるため、それぞれステレオ３Ｄ専用ではない再生装置や編集装置で再生することが可能である。
【００６７】
上記の実施形態においては、第１の撮像装置及び第２の撮像装置をそれぞれ単独の撮像装置として利用可能な形態として説明した。また、第１の録画装置及び第２の録画装置をそれぞれ単独の録画装置として利用可能な形態として説明した。しかし、本発明はこれらの形態に限られるものではない。例えば、第１の撮像装置、第２の撮像装置、第１の録画装置、第２の録画装置を一つの装置としてまとめるようにしてもよい。この場合、録画装置が各々で第１の表示部及び第２の表示部を装着している必要は無い。
【００６８】
上記の実施形態において、図５はパーソナルコンピュータのイメージで図示しているが、編集専用の装置として構成してもよい。例えば、第１の記録媒体および第２の記録媒体を光ディスクで構成し、光ディスクドライブと制御装置を含めたシステムとして実現しても良い。
【産業上の利用可能性】
【００６９】
本発明は、３次元画像を録画するステレオ３Ｄ録画装置として利用可能である。特に、ステレオ３Ｄ専用ではない２Ｄ録画装置としても使用可能で、かつ２台並べるとステレオ３Ｄ録画が可能であり、後の編集作業において右眼映像と左眼映像が逆に配置されていないことの確認、及び左右のタイミング合わせを比較的容易に行うことを可能なレコーダー、カメラもしくはビデオカメラとして、本発明は好適に利用可能である。
【符号の説明】
【００７０】
１  第１の撮影装置
２  第２の撮影装置
３  第１の録画装置
４  第２の録画装置
５  第１の記録媒体
６  第２の記録媒体
７  制御用ケーブル
２２、２４  被写体
２３、２５  被写体２２の像
２６  仮想スクリーン
２７  視差量
５０  第１の撮影開始時刻
５１、６１  第１の撮影開始判別画像
５２、６２  第１の映像信号
５５、６５  第２の撮影開始判別画像
５６、６６  第２の映像信号
６０  第２の撮影開始時刻
１１０  第１のレンズ群
１１１  第１の撮像部
１１２  第１のＡ／Ｄ変換部
１１３  第１の信号処理部
１１４  第１のＩ／Ｆ部
１１５  第１のカメラ制御部
１２０  第２のレンズ群
１２１  第２の撮像部
１２２  第２のＡ／Ｄ変換部
１２３  第２の信号処理部
１２４  第２のＩ／Ｆ部
１２５  第２のカメラ制御部
１３０  第１のカメラＩ／Ｆ部
１３１  第１の制御部
１３２  第１の制御Ｉ／Ｆ部
１３３  第１の記録処理部
１３４  第１の表示処理部
１３５  第１のＧＵＩ生成部
１３６  第１の入力部
１３７  第１の表示部
１３８  第１の画像ファイル
１４０  第２のカメラＩ／Ｆ部
１４１  第２の制御部
１４２  第２の制御Ｉ／Ｆ部
１４３  第２の記録処理部
１４４  第２の表示処理部
１４５  第２のＧＵＩ生成部
１４６  第２の入力部
１４７  第２の表示部
１４８  第２の画像ファイル
２００  ステレオ３Ｄ編集装置
２０１  プロジェクト管理画面
２０２  プレビュー画面
２０３  タイムライン編集画面
２１０  タイムバー
２１１  第１のトラック
２１２  第２のトラック
２１３  第１のクリップ
２１４  第２のクリップ
【図１】
2012175495.tif 000003
【図２】
2012175495.tif 000004
【図３】
2012175495.tif 000005
【図４】
2012175495.tif 000006
【図５】
2012175495.tif 000007
【図６】
2012175495.tif 000008